(57)【特許請求の範囲】
【請求項１】
ディスクが載置されるトレイと、
前記トレイを複数枚積み重ねて支持する保管手段と、
前記トレイに載置されたディスクを再生位置において再生する再生手段と、
前記保管手段により積み重ねて支持された前記トレイの最下段位置のトレイを前記再生手段へ移動して、当該トレイを前記再生位置から前記保管手段の積み重ねられた前記トレイの最上段位置のトレイ上へ順次返却し、積み重ねられた前記トレイを循環動作させる構成のトレイ駆動手段と、
前記保管手段の上部に設けられ、前記保管手段に保管されているトレイ上のディスクの中央の穴に挿入され当該ディスクを押圧保持するアーム部材よりなるディスク保持手段とを備え、
前記アーム部材は、ばねによる付勢力でトレイ上のディスクを押圧する方向に回動可能に設けられており、前記トレイ駆動手段によるトレイの循環動作時に最上段位置のトレイが１段下降した状態にあっても当該トレイ上のディスクを保持可能に構成したディスクローディング装置。
【請求項２】
ディスク保持手段はアーム部材の先端に回転可能なローラを有することを特徴とする請求項１に記載のディスクローディング装置。
【請求項３】
ディスク保持手段のアーム部材は少なくとも保管手段に保管されている最上段および最上段から二番目の位置のトレイに載置されているディスクの中央の穴に挿入されることを特徴とする請求項１または２に記載のディスクローディング装置。
【発明の詳細な説明】
【０００１】
【発明の属する技術分野】
本発明は、複数のディスクを収納し、収納されたディスクを順次的に、かつ選択的に再生することのできるディスクローディング装置において、収納されたディスクを保持するディスク保持手段を有するディスクローディング装置に関するものである。
【０００２】
【従来の技術】
近年、複数のディスクを収納し、収納されたディスクを順次的または選択的に再生することのできるディスクローディング装置が各種開発されている。従来のディスクローディング装置には、複数のディスクを１枚のロータリートレイの同一平面内に搭載し、そのロータリートレイを回転させて所望のディスクを再生位置へ移送するロータリートレイ方式や、複数のディスクをあらかじめ決められた所定の位置に収納して、再生の都度選択されたディスクを再生位置へ移送する固定ストック方式があった。前者のロータリートレイ方式としては、たとえば米国特許５，３８６，４０３号に開示されたディスクローディング装置があり、このディスクローディング装置は５枚のディスクを１枚のロータリートレイ上にその軸を中心にして同一円周上に搭載した装置である。
【０００３】
後者の固定ストッカ方式としては、例えば米国特許５，１１９，３５４号に開示された車載用のディスクローディング装置があった。このディスクローディング装置は、複数のディスクを積層して収納する固定ストッカと、収納されたディスクの積層方向に移動可能なディスクドライブユニットを具備している。このディスクローディング装置は、ディスクドライブユニットがディスクの収納位置まで移動して選択されたディスクを固定ストッカから取り出し、その取り出されたディスクを再生位置へ移送して再生するものである。
【０００４】
このような従来のディスクローディング装置のうち、ロータリートレイ方式は一つのロータリトレイに複数のディスクを載置する構成であるため、大きなロータリートレイが必要であり、装置が大型になるという問題点があった。
【０００５】
また、固定ストッカ方式においては、複数のトレイにおけるあらかじめ決められた位置に所定のディスクを収納するように構成されているため、収納されたそれぞれのディスクを再生位置に移動するためには、それぞれのディスクごとに異なる移動操作が必要であり、機構が複雑になり装置が大型になるという問題点があった。
【０００６】
そこで本発明者は、上記のような問題点を解決するために、先に特願平７−２９９０７４号を提案した。これはディスクが載置される複数枚のトレイと、前記トレイを積み重ねて支持する保管手段を有するフレームと、前記トレイに載置されたディスクを再生位置において再生する再生手段と、前記トレイを前記フレームの外部へ排出するトレイ排出手段と、前記フレームの内部において、前記保管手段により積み重ねて支持された前記トレイの最下段位置のトレイを前記再生手段へ移動して、前記再生手段上の当該トレイを前記保管手段の積み重ねられた前記トレイの最上段位置のトレイ上へ順次返却し、積み重ねられた前記トレイを循環動作させる構成のトレイ駆動手段とを具備することで、単純な動作で積み重ねられたトレイ上のディスクを順次的に、かつ選択的に再生することのできる小型のディスクローディング装置を得ることができる。
【０００７】
【発明が解決しようとする課題】
しかしながら、先に本発明者が提案したディスクローディング装置には、保管側のトレイ上のディスクが、外部振動や、ショックなどの要因で所定位置よりずれてしまい、ディスクがディスクローディング装置の中に入り込んでしまうという問題点があった。
【０００８】
本発明は、簡単な構成で、保管側のトレイ上のディスクを所定位置からずれないように保持するディスクローディング装置を提供することを目的としてなされたものである。
【０００９】
【課題を解決するための手段】
上記課題を解決するために本発明のディスクローディング装置は、ディスクが載置されるトレイと、前記トレイを複数枚積み重ねて支持する保管手段と、前記トレイに載置されたディスクを再生位置において再生する再生手段と、前記保管手段により積み重ねて支持された前記トレイの最下段位置のトレイを前記再生手段へ移動して、当該トレイを前記再生位置から前記保管手段の積み重ねられた前記トレイの最上段位置のトレイ上へ順次返却し、積み重ねられた前記トレイを循環動作させる構成のトレイ駆動手段と、ディスクを保持するディスク保持手段とを備えた構成において、前記保管手段に保管されているトレイ上のディスクの中央の穴に前記アーム部材を挿入することにより、トレイ上の所定位置からのディスクのずれを容易に防止できるように作用するものである。
【００１０】
【発明の実施の形態】
本発明の請求項１に記載の発明は、ディスクが載置されるトレイと、前記トレイを複数枚積み重ねて支持する保管手段と、前記トレイに載置されたディスクを再生位置において再生する再生手段と、前記保管手段により積み重ねて支持された前記トレイの最下段位置のトレイを前記再生手段へ移動して、当該トレイを前記再生位置から前記保管手段の積み重ねられた前記トレイの最上段位置のトレイ上へ順次返却し、積み重ねられた前記トレイを循環動作させる構成のトレイ駆動手段と、前記保管手段の上部に設けられ、前記保管手段に保管されているトレイ上のディスクの中央の穴に挿入され当該ディスクを押圧保持するアーム部材よりなるディスク保持手段とを備え、前記アーム部材は、ばねによる付勢力でトレイ上のディスクを押圧する方向に回動可能に設けられており、前記トレイ駆動手段によるトレイの循環動作時に最上段位置のトレイが１段下降した状態にあっても当該トレイ上のディスクを保持可能に構成したものであり、前記アーム部材が保管側のトレイ上の所定位置のディスクの中央の穴に入ることで、ディスクがアーム部材によって位置規制されるので、外部振動やショックを受けてもディスクがトレイからずれることを防止できると共に、ディスク保持手段の構造を簡単にして少ない押圧力で、しかも循環動作時にもディスクを保持できるという作用を有する。
【００１３】
また本発明の請求項２に記載の発明は、請求項１に記載の構成に加えてアーム部材の先端に回転可能なローラを有することを特徴とするものである。
【００１４】
この構成によって保管側へ移動中のディスクと前記アーム部材との接触抵抗を少なくし、また前記ディスクとの接触面の傷付き防止ができるという作用を有する。
【００１５】
本発明の請求項３に記載の発明は、請求項１または２の構成において、前記ディスク保持手段のアーム部材は少なくとも前記保管手段に保管されている最上段および最上段から二番目の位置のトレイに載置されているディスクの中央の穴に挿入されることを特徴とするものである。
【００１６】
この構成によって、上部からの保持がされていない最上段のトレイ上のディスクが保持できる。つまり、トレイを循環動作させる際、最上段のトレイは、最下段のトレイが演奏側へ移動した際、保管手段内のトレイ全部がいったんトレイ１枚分下がるので最上段のトレイの高さも下がるが、この状態においてもディスク保持ができるという作用を有する。
【００１７】
以下本発明のディスクローディング装置の実施の形態について、図１ないし図９を参照しながら詳細に説明する。
【００１８】
（実施の形態１）
図１は本発明の実施の形態１のディスクローディング装置の構成を示す側断面図、図２は同じくその動作説明のための側断面図である。図１においてディスクローディング装置のベースフレーム４と、その上をおおうカバーフレーム３との内部にはディスクローディングメカニズムを収容しており、カバーフレーム３の下に複数枚の、図示では５枚のトレイ１ａないし１ｅを保管する保管手段であるトレイ保管部５が配置されている。トレイ１ａないし１ｅには中央穴を有するディスク２ａないし２ｅがそれぞれ載置されるようになっている。ディスクローディングメカニズムは、この他にトレイを図の右方向にフレームより外方に排出するトレイ排出手段１３、ディスク再生手段１１、および図示を省略するがトレイ駆動手段等を備えており、トレイ駆動手段の一部として動力源１２ｃにより作動する係止部材１２ａ，１２ｂを設けている。カバーフレーム３の上部にはホルダー９が固定されており、このホルダー９からアーム軸６ａを回動軸として回動自在に保持され、下方へ付勢されたアーム６がトレイ保管部５内部のトレイ１ｅ，１ｄ上に載置されたディスク２ｅ，２ｄの中央の穴に向けて挿入されている。
【００１９】
図３はディスクローディング装置に設けられたディスク保持手段を説明するための分解斜視図である。図３において、ホルダー９の爪部９ａがカバーフレーム３の穴部３ａに挿入され、ホルダー９がカバーフレーム３の上部に固定される。保持手段となるアーム６の一端にはアーム軸６ａが設けられ、このアーム軸６ａがホルダー９の穴９ｂによって回動自在に保持され、アーム６のアーム軸６ａに設けられたばね１０の一端をアーム６の引っ掛け部６ｃに、他端をホルダー９に掛けることでアーム６を矢印ア方向へ付勢している。そして、アーム６の回動方向のストッパーとして、図４に示すようにアーム６の引っ掛け部６ｃの反対側にリブ６ｄを設け、これがホルダー９に設けたストッパー爪部９ｃと当接することで位置を決めている。また、アーム６の他方の一端には爪部６ｂが設けられ、ローラ軸７を回転可能な状態で保持している。そしてローラ軸７の中央にはローラ８が設けられている。図５は、このアーム６とローラ軸７との取り付け部を示す断面図である。ローラ軸７は爪部６ｂの引掛部６ｅと当接部６ｆとの間に保持されている。アーム６の先端はカバーフレーム３の上部の開口３ｂよりトレイ保管部５に向かっている。
【００２０】
以上のように構成された本実施形態のディスクローディング装置について、以下その動作を説明する。図１において図示しないトレイ駆動手段はトレイ保管部５に５枚保管されたトレイ１のうちの最下段のトレイ１ａをディスク２ａを載置したまま再生位置へ移動し、再生手段１１に装着したところを示す。このあと動力源１２ｃにより係止部材１２ａ，１２ｂを動かしてトレイ１ｂの係止を外すとトレイ１ｂはトレイ１ａのあった位置へ降下し、トレイ１ｂないし１ｅはディスク２ｂないし２ｅを載置したまま、それぞれトレイ１枚分ずつ降下する。ディスク２ａの再生が終わり、またはディスク２ａを再生する必要がない場合は、図示しないトレイ駆動手段が図２のように再生手段１１をディスク２ａを載置したままのトレイ１ａを伴って上方へ移動させ、ついでトレイ１ａをディスク２ａを載置したままトレイ保管部５の最上段へ返却するように動作する。複数枚のトレイ１のうちの任意のトレイ、たとえばトレイ１ｄに載置されたディスク２ｄを演奏するときは、このトレイ１ｄが再生手段１１の再生位置に来るまでこの循環操作を繰り返す。
【００２１】
図６は、トレイ１ａがトレイ保管部５の最上段に返却される途中の状態を示している。この図６の状態では、アーム６は図４で示すアーム６のリブ６ｄとホルダー９のストッパー爪部９ｃが当接した位置にあり、この状態でアーム６はこれから挿入されて最上段の位置となるトレイ１ａと、上から２番目のトレイとなるトレイ１ｅとのそれぞれに載置されたディスク２ａ，２ｅのセンター穴に入り込める高さとなっている。そのため上から２番目になろうとするトレイ１ｅ上のディスク２ｅが容易にトレイ１ｅからずれないように保持することができる。これは、再生のために最下段のトレイが演奏側へ移動した際、保管側のトレイ全部がいったんトレイ１枚分下がるので、最上段であったトレイ１ｅの高さも１枚分下がるが、そのときもディスク２ｅの保持ができるようにするためである。
【００２２】
その後、図７のように、トレイ１ａが矢印イ方向へ移動すると、トレイ１ａの先端が、ついでディスク２ａの先端が、アーム６に保持されたローラ８に接触し、アーム６はその軸６ａを中心に矢印ウ方向へ回動する。そしてローラ８はディスク２の上面を転がっていく。ここで、ばね１０によるローラ８のディスク２ａへの押圧力であるが、あまり強すぎるとディスク２ａをトレイ１ａの定位置からずらしてしまうので、実際には、数グラム程度のものとする。
【００２３】
そして図８のようにトレイ１ａがトレイ保管部５の最上段への返却を完了すると、アーム６がばね１０の復帰力により、前記トレイ１ａに載置されたディスク２ａの中央の穴にアーム６が入り込む。このため、トレイ保管部５のディスク２ａはアーム６が妨げになり、移動できなくなるので、トレイ１ａからずれることはない。
【００２４】
以上のように本実施形態によれば、カバーフレーム３の上部に回動可能なアーム６などのアーム部材を設けることにより、トレイ保管部５のトレイ１に載置されたディスク２の保持を容易に行うことができる。
【００２５】
なお図９に示すように、トレイ１に載置された小径のディスク２ｆについても同様の効果があることはいうまでもない。
【００２６】
またアーム６はディスクに向かって回動してディスク２の中央の穴に入り込む構成で説明したが、アームがディスク２の中央の穴にディスク面に垂直な方向に入り込むようにしても差し支えない。このときはトレイ１がトレイ保管部５に挿入される部分にテーパーを設け、このテーパーによってアームを押し上げるようにすればよい。
【００２７】
またローラ８はローラ軸７により回転可能な構造として説明したが、アーム６が摩擦の小さい材料であれば回転しなくても同様の効果は得られるので、アーム６の先端を円滑にしてローラと一体にしてもよい。
【００２８】
さらに実施の形態１では、トレイ保管部５のディスク保持は、最上段から二段目までであるが、アーム６の軸６ａの位置をさらに図の左方へ移動し、アーム６の回転半径を長くすることで、アーム６がさらに下部まで達するので、トレイ保管部５のディスク保持は、最上段から三段目以上も可能なようにすることができる。
【００２９】
【発明の効果】
以上のように本発明のディスクローディング装置は、ディスクが載置されるトレイと、トレイを複数枚積み重ねて支持する保管手段と、トレイに載置されたディスクを再生位置において再生する再生手段と、保管手段により積み重ねて支持されたトレイの最下段位置のトレイを再生手段へ移動して、このトレイを再生位置から保管手段の積み重ねられたトレイの最上段位置のトレイ上へ順次返却し、積み重ねられたトレイを循環動作させる構成のトレイ駆動手段と、前記保管手段の上部に設けられ、前記保管手段に保管されているトレイ上のディスクの中央の穴に挿入され当該ディスクを押圧保持するアーム部材よりなるディスク保持手段とを備え、前記アーム部材は、ばねによる付勢力でトレイ上のディスクを押圧する方向に回動可能に設けられており、前記トレイ駆動手段によるトレイの循環動作時に最上段位置のトレイが１段下降した状態にあっても当該トレイ上のディスクを保持可能に構成したことにより、簡単な構成で最上段のトレイに載置されたディスクが外部からの振動やショック等によりトレイからずれるのを防止できると共に、ディスク保持手段の構造を簡単にして少ない押圧力で、しかも循環動作時にもディスクを保持できるものである。
【００３０】
またディスク保持手段のアーム部材は少なくとも保管手段に保管されている最上段および最上段から二番目の位置のトレイに載置されているディスクの中央の穴に挿入されるように構成したことにより、保管手段から最下段のトレイを再生手段へ移動したときに積み重ねられたトレイが保管手段内のトレイ全部がいったんトレイ１枚分下がり、最上段のトレイの高さも下がるが、この状態においてもトレイ上の所定位置からのディスクのずれを容易に防止できるという有利な効果が得られる。
【図面の簡単な説明】
【図１】本発明の実施の形態１のディスクローディング装置の構成を示す側断面図
【図２】同じくそのトレイの循環動作説明のための側断面図
【図３】同ディスクローディング装置に設けられたディスク保持手段を説明するための分解斜視図
【図４】同じくディスク保持手段のアーム６のホルダー９に対する係止状態を示す側面図
【図５】同アーム６とローラ軸７との取り付け部を示す断面図
【図６】同トレイ返却途中のディスク保持手段のディスク保持状態を示す側断面図
【図７】同返却中のトレイによってディスク保持手段が回動する状態を示す側断面図
【図８】同トレイの返却完了時のディスク保持手段のディスク保持状態を示す側断面図
【図９】同小径のディスクに対するディスク保持手段のディスク保持状態を示す側断面図
【符号の説明】
１  トレイ
２  ディスク
５  トレイ保管部
６  アーム
６ａ  アーム軸
６ｂ  爪部
６ｃ  引っ掛け部
６ｄ  リブ
７  ローラ軸
８  ローラ
９  ホルダー
１０  ばね
１１  再生手段
【図１】
0003564849.tif 000002
【図２】
0003564849.tif 000003
【図３】
0003564849.tif 000004
【図４】
0003564849.tif 000005
【図５】
0003564849.tif 000006
【図６】
0003564849.tif 000007
【図７】
0003564849.tif 000008
【図８】
0003564849.tif 000009
【図９】
0003564849.tif 000010